(57)【要約】【課題】簡便な方法により、舌部における耐摩耗性を高めるようにしたポンプ用舌部材を提供する。【解決手段】  ポンプ用舌部材３０は、渦巻きポンプの液体流路を構成するボリュート室を形成するポンプケーシングと、ポンプケーシングに収容される羽根車とを備えたポンプ装置に取り付けられ、ボリュート室と羽根車とを仕切るための舌部３２と、ポンプケーシングの内壁に形成された係合溝と係合する係合部４０ａ，４０ｂとを備えており、二つ割りのポンプケーシング２０，２２の両方に挟み込まれるように、舌部材３０がポンプケーシングに着脱自在に取り付けられる。舌部材３０の係合部４０ａ，４０ｂには、ポンプケーシングから舌部材３０が脱落するのを防止する嵌合部が設けられている。【選択図】図４
2020204281.tif 000002
【特許請求の範囲】
【請求項１】
液体流路を構成するボリュート室を形成するポンプケーシングと、前記ポンプケーシングに収容される羽根車とを備えたポンプ装置に取り付けられる舌部材であって、
前記ボリュート室と前記羽根車とを仕切るための舌部と、
前記ポンプケーシングの内壁に形成された係合溝と係合する係合部と、
を備えたことを特徴とする、ポンプ用舌部材。
【請求項２】
前記係合部には、前記舌部材が前記ポンプケーシングから脱落するのを防止する嵌合部が設けられていることを特徴とする、請求項１記載のポンプ用舌部材。
【請求項３】
前記ポンプケーシングと同じ材料または前記ポンプケーシングよりも耐キャビテーション壊食性に優れた材料から構成されていることを特徴とする、請求項１又は２記載のポンプ用舌部材。
【請求項４】
前記係合部は、その断面がくさび形状であることを特徴とする、請求項１〜３のいずれか１項に記載のポンプ用舌部材。
【請求項５】
回転軸に固定される羽根車と、前記羽根車を収容するポンプケーシングと、請求項１〜４のいずれか一項に記載のポンプ用舌部材とを備え、
前記舌部材の係合部が前記ポンプケーシングに形成された係合溝と係合することを特徴とする、ポンプ装置。
【請求項６】
前記ポンプケーシングは２つのケーシング部材から構成され、前記舌部材は前記ケーシング部材の双方と係合することを特徴とする、請求項５記載のポンプ装置。
【請求項７】
前記舌部材は、締結具を介して前記ポンプケーシングの外壁と締結されていることを特徴とする、請求項５又は６記載のポンプ装置。
【請求項８】
回転軸に固定される羽根車と、前記羽根車を収容するポンプケーシングと、ボリュート室と吐出部との間を仕切る舌部がポンプケーシングに一体に設けられたポンプ装置における舌部の補修方法であって、
前記ポンプケーシングのうち、前記舌部が設けられた部分を含む領域において、係合溝を形成するよう切削加工し、
請求項１〜４のいずれか一項に記載のポンプ用舌部材を、前記係合部が前記ポンプケーシングに形成された前記係合溝と係合するように、前記ポンプケーシングに取り付けることを特徴とする、舌部の補修方法。
【発明の詳細な説明】
【技術分野】
【０００１】
本発明は、液体を移送するためのポンプ装置に関する。
【背景技術】
【０００２】
液体を移送するための遠心ポンプでは、回転軸に固定された羽根車と、この羽根車を収容するポンプケーシングが設けられており、ポンプケーシング内で回転する羽根車の遠心力により液体が昇圧され、ポンプケーシングの吐出部から吐出される。羽根車の出口から吐出部までの流路は渦巻形状とされているのが一般的であり、この渦巻形状の巻き始めには舌部（カットウォーター）と呼ばれる楔板状の部材が設けられる。舌部に衝突した液体の流れは、板状の舌部の表側と裏側に二分される。
【０００３】
遠心ポンプのうち両吸込遠心ポンプでは、ポンプケーシングの吸込口から入った液体は二分され、それぞれ渦巻状の形状をとる流路を通じて、ポンプ内の二箇所に設けられた羽根車入口に導かれる。この渦巻形状の流路は吸込ボリュートと呼ばれており、この吸込ボリュートの巻き終わりにも楔板状の舌部（旋回止め、ホワールストップ、バッフル、ケーシングバッフルとも呼ばれる）が設けられている。この舌部は、渦巻型やセミボリュート型の両吸込遠心ポンプに設けられる。
【０００４】
この舌部は、ポンプケーシング内で内側に突出しており、他の部分に比べてキャビテーションによる衝撃を受けて壊食が発生する場合があることから、高い耐摩耗性が要求されている。キャビテーションによる壊食は、圧力が低い吸込ボリュート（羽根車の入口側）の舌部で発生する場合が殆どであるが、吐出ボリュート（羽根車の出口側）の舌部で発生する場合もある。
【０００５】
この点につき、特許文献１に記載のポンプにおいては、舌部の先端部分に硬質ゴムである耐摩材をボルト止めすることで、舌部における耐摩耗性を高めることが開示されている。
【先行技術文献】
【特許文献】
【０００６】
【特許文献１】特開平７−３３２２８８号公報
【非特許文献】
【０００７】
【非特許文献１】浦西和夫著、「渦巻形吸込ケーシング内の流れとポンプ性能」、ターボ機械第１４巻第２号３５頁
【発明の概要】
【発明が解決しようとする課題】
【０００８】
上記特許文献に記載のポンプにおいては、舌部に相当する耐摩材とボルトとが別部材であることから、ポンプの使用に伴いボルトが欠落するおそれがある。また、上記特許文献に記載のポンプでは、ボルトの耐摩耗性については考慮されていないため、キャビテーションによりボルトが損傷するおそれがある。さらに、上記特許文献に記載されたポンプを使用した場合には、舌部を交換に際し舌部を取り付けるためにボルト止めの作業が必要となるが、舌部がケーシングの奥に位置する場合（例えば、ポンプを軸方向に組み立てる輪切りタイプの場合）には、舌部のボルト止めの作業は容易ではない。
【０００９】
本発明は、上記に鑑みてなされたものであり、舌部の補修を簡便に行うことができるポンプ用舌片部材及びこれを用いたポンプを提供することを目的とする。また、本発明は、舌部の補修を簡便に行うことができる方法を提供することを目的とする。
【課題を解決するための手段】
【００１０】
本発明の一態様は、液体流路を構成するボリュート室を形成するポンプケーシングと、前記ポンプケーシングに収容される羽根車とを備えたポンプ装置に取り付けられる舌部材であって、前記ボリュート室と前記羽根車とを仕切るための舌部と、前記ポンプケーシングの内壁に形成された係合溝と係合する係合部とを備えたことを特徴とする。この構成により、着脱自在な舌部材をポンプケーシングに取り付けることで、舌部の補修を容易に行うことができる。
【００１１】
上記のポンプ用舌部材において、係合部には、舌部材が前記ポンプケーシングから脱落するのを防止する嵌合部が設けられていることが好ましい。また、舌部材をポンプケーシングと同じ材料またはポンプケーシングより耐キャビテーション壊食性に優れた材料で形成することが好ましく、その断面をくさび形状とすることが好ましい。
【００１２】
本発明の一実施形態におけるポンプは、回転軸と、回転軸に固定される羽根車と、羽根車を収容するポンプケーシングと、上記の舌部材とを備え、舌部材の係合部がポンプケーシングに形成された係合溝と係合する構成を備える。この構成によっても、上記と同様の作用効果を奏することができる。
【００１３】
上記のポンプにおいて、ポンプケーシングは少なくとも２つのケーシング部材から構成され、舌部材はケーシング部材の双方と係合する構成とすることが好ましい。また、舌部材は、締結具を介してポンプケーシングの外壁と締結されていることが好ましい。
【００１４】
本発明の一実施形態におけるポンプにおける舌部の交換方法は、回転軸に固定される羽根車と、前記羽根車を収容するポンプケーシングと、ボリュート室と吐出部との間を仕切る舌部がポンプケーシングに一体に設けられたポンプ装置における舌部の補修方法であって、前記ポンプケーシングのうち、前記舌部が設けられた部分を含む領域において、係合溝を形成するよう切削加工し、上記ポンプ用舌部材を、前記係合部が前記ポンプケーシングに形成された前記係合溝と係合するように、前記ポンプケーシングに取り付ける構成を備える。この構成によっても、上記と同様の作用効果を奏することができる。
【発明の効果】
【００１５】
本発明によれば、ポンプケーシング内壁に取り付けられるポンプ用舌部材において、ボリュート室と吐出部とを仕切るための舌部と、ポンプケーシング内壁に形成された係合溝と係合する係合部とを備えた構成としたから、着脱自在な舌部材をポンプケーシングに取り付けることで、舌部の補修を容易に行うことができる。
【図面の簡単な説明】
【００１６】
【図１】本発明の一実施形態に係る両吸込渦巻ポンプの外観を示す側面図である。
【図２】図１に示す両吸込渦巻ポンプの縦断面図である。
【図３】図１に示す両吸込渦巻ポンプの横断面図である。
【図４】舌部材とポンプケーシングの位置関係を示す斜視図である。
【図５】舌部材の外観斜視図である。
【図６】（Ａ）は舌部材の外観斜視図であり、（Ｂ）は矢印Ａ方向から舌部材を見た場合の平面図である。
【図７】破損したポンプケーシングを補修する手順を示す説明図である。
【図８】舌部材をポンプケーシングに取り付ける例を示す説明図である。
【図９】舌部材をポンプケーシングの位置関係の別の例を示す説明図である。
【図１０】舌部材とポンプケーシングの位置関係のさらに別の例を示す説明図である。
【発明を実施するための形態】
【００１７】
以下、本発明の一実施形態に係るポンプについて、図面を参照して説明する。なお、同一または相当する構成要素には、同一の符号を付して重複した説明を省略する。
【００１８】
図１及び図２において、両吸込渦巻ポンプ１０は、水などの液体を吸込口１２から吸い込むとともに、羽根車１４で加圧して吐出口１６から吐出するポンプである。両吸込渦巻ポンプ１０の外装となるケーシングは、羽根車１４の回転中心となる主軸１８を含む水平面で上下方向に分割される上部ケーシング２０と下部ケーシング２２から構成される。上部ケーシング２０と下部ケーシング２２とは、フランジ２０ａ、２０ｂが合わせられた状態でボルト２４を挿通することで締結される。
【００１９】
図２において、上部ケーシング２０と下部ケーシング２２の内部には、上部吸込室２６ａ及び下部吸込室２６ｂからなる吸込室と、上部吐出室２８ａ及び下部吐出室２８ｂからなる吐出室とが形成されている。また、両吸込渦巻ポンプ１０の中央部には、円板上の羽根車１４が主軸１８に固定されており、羽根車１４が主軸１８により回転駆動される。羽根車１４は複数枚の羽根（図示せず）を備えており、回転により吸込口１２から吸い込まれた液体を遠心力により加圧する。
【００２０】
上部吸込室２６ａ及び下部吸込室２６ｂは渦巻状の流路を形成しており、吸込口１２から吸い込まれた液体は、下部吸込室２６ｂ及び上部吸込室２６ａを経て羽根車１４にその中央部から流入する。羽根車１４の回転により、流入した液体が加圧されて羽根車１４の周方向の外側に形成された上部吐出室２８ａ及び下部吐出室２８ｂに流れ込み、吐出口１６から吐出される。
【００２１】
ポンプケーシングには、吸込側の渦巻状の流路（吸込ボリュート）の巻き終わりの部分に舌部（旋回止め）が設けられている。この舌部はポンプケーシング内で内側に突出しており、他の部分に比べてキャビテーションによる衝撃を受けやすく、それにより舌部が壊食されてしまうと、ポンプの性能が著しく低下してしまう。この点は、吐出側の流路（吐出ボリュート）に設けられた舌部においても同様である。
【００２２】
このため、本実施形態に係るポンプにおいては、図３及び図４に示すとおり、舌部に相当する部分が着脱式の舌部材３０〜３３で構成されている。舌部材３０は、舌部本体４０と、この舌部本体４０から突出した舌部４２とを備え、これらは、例えば硬質ゴムなどの衝撃に強い材料で一体に形成されている。なお、舌部材３０を、ポンプケーシング２０、２２と同じ材料または耐キャビテーション壊食性に優れた材料で形成するようにしても良い。
【００２３】
これら舌部材３０〜３３はいずれも同じ構成を備えており、舌部材３０、３１は吸込側の流路（吸込ボリュート）に、舌部材３２，３３は吐出側の流路（吐出ボリュート）に、それぞれ取り付けられている。なお、図４では、図面の簡略化のために吐出側の舌部材３２，３３は省略している。
【００２４】
舌部材３０の外観を示す図５及び図６（Ａ）において、舌部本体４０のうち、舌部４２が設けられていない側の側面４４，４６は、ポンプケーシング２０、２２の内壁面と整合するように、平面状に形成されている。また、舌部本体４０の側面４４，４６には、くさび形状の係合部４０ａ，４０ｂが設けられている。さらに、図６（Ａ）（Ｂ）に示すように、本実施形態の舌部材３０の側面４４，４６には、これらを跨ぐように凹部４８が形成されている。
【００２５】
図４に示すように、下部ケーシング２２の内壁面に一対の係合溝２２ａ，２２ｂが形成されており、これらは舌部本体４０の係合部４０ａ，４０ｂと係合しており、これにより、舌部材３０がポンプケーシングに対して着脱自在となるように取り付けられる。
【００２６】
また、舌部材３１（他の舌部材も同様）は、その一部が下部ケーシング２２から突出しており、当該突出した部分は、上部ケーシング２０に形成された係合溝（図示せず）と係合する。すなわち、舌部材３０〜３３は、上部ケーシング２０と下部ケーシング２２の双方に挟み込まれて係止された状態で、ポンプケーシングに取り付けられる。これにより、舌部材３０〜３３を確実にポンプケーシングに取り付けることができる。
【００２７】
舌部材３０〜３３の交換は、次のようにして行うことができる。図４に示すように、二つ割りのポンプケーシング２０，２２の内部を露呈させて、使用済みの（あるいは壊食された）舌部材を上方にスライド移動させることで、舌部材を取り外す。その後、新品の舌部材３０を、図中矢印で示す下方向にスライド移動させて、下部ケーシング２２の係合溝２２ａ，２２ｂと舌部本体４０の係合部４０ａ，４０ｂとを係合させる。その後、上部ケーシング２０に形成された係合溝（図示せず）と舌部本体４０の係合部４０ａ，４０ｂが係合するように、上部ケーシング２０と下部ケーシング２２とを組み合わせてボルト止めする。これにより、舌部材３０〜３３の交換が完了する。
【００２８】
本実施形態に係るポンプによれば、舌部材を着脱自在に構成するようにしたので、ポンプの使用に伴い舌部に壊食が発生した場合には、舌部材のみを交換すれば足り、舌部をポンプケーシングに溶接し、あるいはポンプケーシング全体を交換する必要のあった従来のポンプと比べ、簡単かつ低コストにて補修を行うことが可能となる。
【００２９】
また、舌部材３０の係合部４０ａ，４０ｂに段差を設けて、ポンプケーシング（上部ケーシング２０と下部ケーシング２２）の内壁面に別途形成した突起（嵌合部）にはめ込まれるように構成しても良い。これにより、ポンプの駆動中に、ポンプケーシングに取り付けられた舌部材３０〜３３が脱落するのを防止することができる。
【００３０】
上記実施形態においては、舌部材３０〜３３にくさび形状の係合部を形成しているが、係合部の形状はこれに限られることはなく、長方形、台形、円形といった他の形状にてポンプケーシング（上部ケーシング２０と下部ケーシング２２）との係合部を構成するようにしてもよい。
【００３１】
また、舌部材との係合溝が形成されていない従来のポンプケーシングにおいて、例えばポンプケーシングと一体に形成された舌部が壊食した場合には、舌部材の交換は次のようにして行うことができる。図７（Ａ）において、ポンプケーシング５０の内部を露呈させて、壊食部分５０ａを含むポンプケーシング５０の一部が除去されるように、図７（Ａ）の点線５１に沿って切削し、舌部材３０の係合部４０ａ，４０ｂと対応する位置に係合溝５０ａ、５０ｂを形成する（図７（Ｂ）参照）。その後、新品の舌部材３０を、図４の矢印で示す下方向にスライド移動させて、係合溝５０ａ，５０ｂと舌部本体４０の係合部４０ａ，４０ｂとを係合させる。
【００３２】
この場合、舌部材３０の側面４４，４６には、これらを跨ぐように凹部４８が形成されており、ポンプケーシング５０に係合される際に、当該舌部材３０が外気にさらされてしまうおそれがある。このため、舌部材３０の凹部４８の周囲にＯリングやゴム紐でシールする、あるいは舌部材３０とポンプケーシング５０の継ぎ目に硬化性シリコンゴムを埋めることで、舌部材３０が外気にさらされないようにすることが好ましい。
【００３３】
なお、上記の実施形態では、舌部材３０の側面４４，４６を跨ぐように凹部４８が形成されているが、本発明において舌部材の側面に凹部を形成する必要はなく、舌部本体４０と同じ材料にて、当該凹部が埋められるように舌部材を形成しても良い。
【００３４】
上記実施形態では、舌部材３０が二つ割りのポンプケーシング（上部ケーシング２０と下部ケーシング２２）の双方に挟み込まれるように（二つ割りのポンプケーシングの二つ割り面５４を跨ぐように）構成されているが（図８（Ａ）参照）、例えば図８（Ｂ）及び（Ｃ）で示すように、舌部材３０が上部ケーシング２０または下部ケーシング２２の一方に完全に入り込むように構成しても良い。
【００３５】
上記実施形態では、ポンプケーシングの二つ割り面をポンプ装置の水平面と平行になるように構成しているが、舌部材が設置される位置に応じて、二つ割り面を適宜変更するようにしても良い。
【００３６】
例えば、図９に示す例では、吸込口６２と吐出口７３が略９０度となるように構成されたポンプケーシング６０，６１において、吸込口６２側（吸込ボリュート側）の舌部材３０と、吐出口６３側（吐出ボリュート側）の舌部材３２とが、ポンプ装置の鉛直方向に沿って配置されている。この場合には、ポンプケーシング６０、６１の二つ割り面６４が、ポンプ装置の鉛直方向と平行になるように、ポンプケーシング６０、６１を設計することで、舌部材３０，３２を二つ割りのポンプケーシングの双方に挟み込むように構成することができる。
【００３７】
また、図１０に示す例では、吸込口７２と吐出口７３が略１８０度となるように構成されたポンプケーシング７０，７１において、吸込口７２側（吸込ボリュート側）の舌部材３０と、吐出口７３側（吐出ボリュート側）の舌部材３２とが、ポンプ装置の鉛直方向に沿って配置されている。この場合においても、ポンプケーシング７０、７１の二つ割り面７４が、ポンプ装置の鉛直方向と平行になるように、ポンプケーシング７０、７１を設計することで、舌部材３０，３２を二つ割りのポンプケーシングの双方に挟み込むように構成することができる。
【００３８】
上記実施形態では、舌部材に突起状の係合部を設けてポンプケーシングに取り付けるように構成しているが、ポンプ内の液体が通過しない部分（例えば、ポンプケーシングの外部）において、舌部材をボルト等の締結具によって締結するようにしても良い。例えば、ポンプケーシングに貫通孔を形成し、当該貫通孔に舌部材をはめ込んだ状態で、舌部材をボルト止めすることで、舌部材を着脱可能となるようにポンプケーシングに締結することができる。この場合、ボルト止めとともに、上記実施形態と同様の係合部を舌部材に形成し、これをポンプケーシング側の係合溝と係合させるように構成しても良く、これにより、舌部材をより強固にポンプケーシングに取り付けることができる。
【００３９】
上述した実施形態は、本発明が属する技術分野における通常の知識を有する者が本発明を実施できることを目的として記載されたものである。上記実施形態の種々の変形例は、当業者であれば当然になしうることであり、本発明の技術的思想は他の実施形態にも適用しうる。本発明は、記載された実施形態に限定されることはなく、特許請求の範囲によって定義される技術的思想に従った最も広い範囲に解釈されるものである。
【符号の説明】
【００４０】
１０  両吸込渦巻ポンプ
１２  吸込口
１４  羽根車
１６  吐出口
２０  上部ケーシング
２２  下部ケーシング
２２ａ，２２ｂ  係合溝
３０〜３３  舌部材
４０ａ，４０ｂ、５２ａ、５２ｂ  係合部
４２  舌部本体
【図１】
2020204281.tif 000003
【図２】
2020204281.tif 000004
【図３】
2020204281.tif 000005
【図４】
2020204281.tif 000006
【図５】
2020204281.tif 000007
【図６】
2020204281.tif 000008
【図７】
2020204281.tif 000009
【図８】
2020204281.tif 000010
【図９】
2020204281.tif 000011
【図１０】
2020204281.tif 000012